(57)【要約】【課題】キャリア移行時に、携帯電話機向けのウェブサイトのＵＲＬを新たな携帯電話機でスムーズに使用可能にする。【解決手段】サーバ装置１０が設けるウェブサイトのトップページには、選択可能なＵＲＬ登録用のボタンが設けられ、そのボタンに各キャリアに共通の振り分け用ＵＲＬおよび選択メニューの立ち上げコマンドをリンクさせてトップページに埋め込む。携帯電話機３は、サーバ装置１０にアクセスしてウェブサイトのトップページを表示し、ＵＲＬ登録用ボタンの選択を受け付けると、振り分け用ＵＲＬの登録先としてブックマークテーブル又はアドレス帳テーブルを選択する選択メニューを表示し、選択メニューでの選択内容に応じて振り分けＵＲＬをいずれかのテーブルに登録する。キャリア移行時にはテーブルに登録された情報を新たな携帯電話機に移し、登録した振り分け用ＵＲＬを使用可能にする。【選択図】図１
2008071234.tif 000002
【特許請求の範囲】
【請求項１】
表示部及び登録テーブルを有して、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録方法において、
前記サーバ装置は、
前記携帯電話機からのアクセスに応じて、選択可能な登録選択部を配置すると共に、各通信事業体への振り分け用のアドレス情報を前記登録選択部に関連付けて埋め込んだサイトページに応じたページデータを前記携帯電話機に送信し、
前記携帯電話機は、
前記ページデータを受信して前記表示部に前記サイトページを表示した状態で、前記登録選択部の選択を受け付けた場合、前記登録選択部に関連付けたアドレス情報を前記登録テーブルに登録することを特徴とするアドレス情報登録方法。
【請求項２】
表示部及び登録テーブルを有して、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録方法において、
前記サーバ装置は、
前記携帯電話機からのアクセスに応じて、選択可能な登録選択部を配置すると共に、前記携帯電話機が対応する通信事業体と相異する通信事業体用のアドレス情報を前記登録選択部に関連付けて埋め込んだサイトページに応じたページデータを前記携帯電話機に送信し、
前記携帯電話機は、
前記ページデータを受信して前記表示部に前記サイトページを表示した状態で、前記登録選択部の選択を受け付けた場合、前記登録選択部に関連付けた前記アドレス情報を登録テーブルに登録することを特徴とするアドレス情報登録方法。
【請求項３】
前記携帯電話機は、登録テーブルとしてアドレス情報の登録が可能なアドレス帳テーブルを有し、
前記登録選択部の選択を受け付けた場合、登録先として前記アドレス帳テーブルの選択を受け付ける選択メニューを表示し、
前記選択メニューで前記アドレス帳テーブルの選択を受け付けた場合、前記アドレス情報を前記アドレス帳テーブルに登録する請求項１又は請求項２に記載のアドレス情報登録方法。
【請求項４】
前記携帯電話機は、登録テーブルとしてアドレス情報の登録が可能なブックマークテーブルを有し、
前記登録選択部の選択を受け付けた場合、登録先として前記ブックマークテーブルの選択を受け付ける選択メニューを表示し、
前記選択メニューで前記ブックマークテーブルの選択を受け付けた場合、前記アドレス情報を前記ブックマークテーブルに登録する請求項１乃至請求項３のいずれか１つに記載のアドレス情報登録方法。
【請求項５】
表示部及びアドレス帳テーブルを有する携帯電話機が、サーバ装置が設けるウェブサイトに係るネットワーク上の場所を表すアドレス情報を前記アドレス帳テーブルに登録するアドレス情報登録方法において、
前記サーバ装置は、
前記携帯電話機からのアクセスに応じて、選択可能な登録選択部を配置すると共に、アドレス情報を前記登録選択部に関連付けて埋め込んだサイトページに応じたページデータを前記携帯電話機に送信し、
前記携帯電話機は、
前記ページデータを受信して前記表示部に前記サイトページを表示した状態で、前記登録選択部の選択を受け付けた場合、前記登録選択部に関連付けたアドレス情報を前記アドレス帳テーブルに登録することを特徴とするアドレス情報登録方法。
【請求項６】
前記サーバ装置は、
前記ウェブサイトの名称を表すサイト名情報を、前記登録選択部に関連付けて埋め込んだ前記サイトページに応じたページデータを送信し、
前記携帯電話機は、
前記アドレス情報と共に前記サイト名情報を登録する請求項１乃至請求項５のいずれか１つに記載のアドレス情報登録方法。
【請求項７】
表示部及び登録テーブルを有して、携帯電話機向けの通信サービスを提供する複数の通信事業体の中の一つに対応する携帯電話機が、ネットワーク上に設けられたウェブサイトに係る場所を表すアドレス情報を前記登録テーブルに登録するアドレス情報登録方法において、
前記携帯電話機は、
各通信事業体への振り分け用のアドレス情報を前記表示部に選択可能に表示し、
表示したアドレス情報が選択された場合、前記アドレス情報の前記登録テーブルへの登録又は前記アドレス情報に基づくアクセスのいずれの選択を受け付ける選択メニューを表示し、
前記選択メニューで前記登録テーブルへの登録の選択を受け付けた場合、前記アドレス情報を前記登録テーブルに登録し、
前記選択メニューで前記アクセス情報に基づくアクセスの選択を受け付けた場合、前記アクセス情報に基づいてアクセスを行うことを特徴とするアドレス情報登録方法。
【請求項８】
表示部及び登録テーブルを有して、携帯電話機向けの通信サービスを提供する複数の通信事業体の中の一つに対応する携帯電話機が、ネットワーク上に設けられたウェブサイトに係る場所を表すアドレス情報を前記登録テーブルに登録するアドレス情報登録方法において、
前記携帯電話機は、
対応する通信事業体と相異する通信事業体用のアドレス情報を前記表示部に選択可能に表示し、
表示したアドレス情報が選択された場合、選択されたアドレス情報の登録先として前記登録テーブルの選択を受け付ける選択メニューを表示し、
前記選択メニューで前記登録テーブルの選択を受け付けた場合、前記アドレス情報を前記登録テーブルに登録することを特徴とするアドレス情報登録方法。
【請求項９】
前記携帯電話機は、前記登録テーブルとしてアドレス情報の登録が可能なアドレス帳テーブルを有し、
登録先として前記アドレス帳テーブルの選択を受け付ける前記選択メニューを表示し、
前記選択メニューで前記アドレス帳テーブルの選択を受け付けた場合、前記アドレス情報を前記アドレス帳テーブルに登録する請求項７又は請求項８に記載のアドレス情報登録方法。
【請求項１０】
前記携帯電話機は、前記登録テーブルとしてアドレス情報の登録が可能なブックマークテーブルを有し、
登録先として前記ブックマークテーブルの選択を受け付ける前記選択メニューを表示し、
前記選択メニューで前記ブックマークテーブルの選択を受け付けた場合、前記アドレス情報を前記ブックマークテーブルに登録する請求項７乃至請求項９のいずれか１つに記載のアドレス情報登録方法。
【請求項１１】
表示部及びアドレス帳テーブルを有する携帯電話機が、ネットワーク上に設けられたウェブサイトに係る場所を表すアドレス情報を前記アドレス帳テーブルに登録するアドレス情報登録方法において、
前記携帯電話機は、
アドレス情報を前記表示部に選択可能に表示し、
表示したアドレス情報が選択された場合、前記アドレス情報の前記アドレス帳テーブルへの登録又は前記アドレス情報に基づくアクセスの選択を受け付ける選択メニューを表示し、
前記選択メニューで前記アドレス帳テーブルへの登録の選択を受け付けた場合、前記アドレス情報を前記アドレス帳テーブルに登録し、
前記選択メニューで前記アクセス情報に基づくアクセスの選択を受け付けた場合、前記アクセス情報に基づいてアクセスを行うことを特徴とするアドレス情報登録方法。
【請求項１２】
表示部及び登録テーブルを備え、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録システムにおいて、
前記サーバ装置は、
選択可能な登録選択部を配置すると共に、各通信事業体への振り分け用のアドレス情報を前記登録選択部に関連付けて埋め込んだサイトページに応じたページデータを記憶する手段と、
前記携帯電話機からのアクセスに応じて、前記ページデータを前記携帯電話機に送信する手段とを備え、
前記携帯電話機は、
前記ページデータを受信して前記表示部に前記サイトページを表示した状態で、前記登録選択部の選択を受け付けた場合、前記登録選択部に関連付けたアドレス情報を前記登録テーブルに登録する手段を備えることを特徴とするアドレス情報登録システム。
【請求項１３】
表示部及び登録テーブルを備え、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録システムにおいて、
前記サーバ装置は、
選択可能な登録選択部を配置すると共に、前記携帯電話機が対応する通信事業体と相異する通信事業体用のアドレス情報を前記登録選択部に関連付けて埋め込んだサイトページに応じたページデータを記憶する手段と、
前記携帯電話機からのアクセスに応じて、前記ページデータを前記携帯電話機に送信する手段とを備え、
前記携帯電話機は、
前記ページデータを受信して前記表示部に前記サイトページを表示した状態で、前記登録選択部の選択を受け付けた場合、前記登録選択部に関連付けたアドレス情報を前記登録テーブルに登録する手段を備えることを特徴とするアドレス情報登録システム。
【請求項１４】
表示部及びアドレス帳テーブルを有する携帯電話機が、サーバ装置が設けるウェブサイトに係るネットワーク上の場所を表すアドレス情報を前記アドレス帳テーブルに登録するアドレス情報登録システムにおいて、
前記サーバ装置は、
選択可能な登録選択部を配置すると共に、アドレス情報を前記登録選択部に関連付けて埋め込んだサイトページに応じたページデータを記憶する手段と、
前記携帯電話機からのアクセスに応じて、前記ページデータを前記携帯電話機に送信する手段とを備え、
前記携帯電話機は、
前記ページデータを受信して前記表示部に前記サイトページを表示した状態で、前記登録選択部の選択を受け付けた場合、前記登録選択部に関連付けたアドレス情報を前記アドレス帳テーブルに登録する手段を備えることを特徴とするアドレス情報登録システム。
【請求項１５】
表示部及び登録テーブルを備え、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、
各通信事業体への振り分け用のアドレス情報を、選択可能に配置した登録選択部に関連付けて埋め込んだサイトページを前記表示部に表示した状態で、前記登録選択部の選択を受け付けた場合、前記登録選択部に関連付けたアドレス情報を前記登録テーブルに登録する手段を備えることを特徴とする携帯電話機。
【請求項１６】
表示部及び登録テーブルを備え、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、
対応する通信事業体と相異する通信事業体用のアドレス情報を、選択可能に配置した登録選択部に関連付けて埋め込んだサイトページを前記表示部に表示した状態で、前記登録選択部の選択を受け付けた場合、前記登録選択部に関連付けた前記アドレス情報を登録テーブルに登録する手段を備えることを特徴とする携帯電話機。
【請求項１７】
表示部及びアドレス帳テーブルを備え、ネットワーク上に設けられたウェブサイトに係る場所を表すアドレス情報を前記アドレス帳テーブルに登録することが可能な携帯電話機において、
アドレス情報を、選択可能に配置した登録選択部に関連付けて埋め込んだサイトページを前記表示部に表示した状態で、前記登録選択部の選択を受け付けた場合、前記登録選択部に関連付けた前記アドレス情報を前記アドレス帳テーブルに登録する手段を備えることを特徴とする携帯電話機。
【請求項１８】
表示部及び登録テーブルを有し、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、
各通信事業体への振り分け用のアドレス情報を前記表示部に選択可能に表示する処理を行う手段と、
表示したアドレス情報が選択された場合、前記アドレス情報の前記登録テーブルへの登録又は前記アドレス情報に基づくアクセスのいずれの選択を受け付ける選択メニューを前記表示部に表示する処理を行う手段と、
前記選択メニューで前記登録テーブルへの登録の選択を受け付けた場合、前記アドレス情報を前記登録テーブルに登録する手段と、
前記選択メニューで前記アクセス情報に基づくアクセスの選択を受け付けた場合、前記アクセス情報に基づいてアクセスを行う手段と
備えることを特徴とする携帯電話機。
【請求項１９】
表示部及び登録テーブルを有し、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、
対応する通信事業体と相異する通信事業体用のアドレス情報を前記表示部に選択可能に表示する処理を行う手段と、
表示したアドレス情報が選択された場合、選択されたアドレス情報の登録先として前記登録テーブルの選択を受け付ける選択メニューを前記表示部に表示する処理を行う手段と、
前記選択メニューで前記登録テーブルの選択を受け付けた場合、前記アドレス情報を前記登録テーブルに登録する手段と、
を備えることを特徴とする携帯電話機。
【請求項２０】
表示部及びアドレス帳テーブルを備え、ネットワーク上に設けられたウェブサイトに係る場所を表すアドレス情報を前記アドレス帳テーブルに登録することが可能な携帯電話機において、
アドレス情報を前記表示部に選択可能に表示する処理を行う手段と、
表示したアドレス情報が選択された場合、前記アドレス情報の前記アドレス帳テーブルへの登録又は前記アドレス情報に基づくアクセスの選択を受け付ける選択メニューを前記表示部に表示する処理を行う手段と、
前記選択メニューで前記アドレス帳テーブルへの登録の選択を受け付けた場合、前記アドレス情報を前記アドレス帳テーブルに登録する手段と、
前記選択メニューで前記アクセス情報に基づくアクセスの選択を受け付けた場合、前記アクセス情報に基づいてアクセスを行う手段と
備えることを特徴とする携帯電話機。
【発明の詳細な説明】
【技術分野】
【０００１】
本発明は、ウェブサイトに係る各種ＵＲＬをアドレス帳又はブックマーク等の登録テーブルへ簡単な選択操作で登録可能にし、特に、ユーザが携帯電話機のキャリアを移行した後も、キャリア移行前に利用していたウェブサイトへ容易にアクセスできるようにしたアドレス情報登録方法、アドレス情報登録システム及び携帯電話機に関する。
【背景技術】
【０００２】
昨今の携帯電話機は本来の通話機能に加えて、ネットワークに接続して各種ウェブサイトを閲覧できる機能を具備する。また、携帯電話機は、いわゆるキャリアと称される携帯電話機向けの通信サービスを提供する通信事業体（第一種通信事業者に相当）ごとの専用機になっており、対応するキャリアの通信網を経由してアクセスを行う。
【０００３】
図１４は、携帯電話機向けの通信サービスに係るシステム構成の概略を示しており、キャリアとしてＡ社、Ｂ社及びＣ社の３社が存在する例を表し、中継機Ａ１〜Ａｎ、Ｂ１〜Ｂｎ、Ｃ１〜Ｃｎを含むＡ社〜Ｃ社のそれぞれの通信網が、各キャリアの関門交換機を通じて広域のネットワークＮＷに接続されている。なお、図中の携帯電話機Ｔ１はＡ社対応機、携帯電話機Ｔ２はＢ社対応機、携帯電話機Ｔ３はＣ社対応機である。
【０００４】
携帯電話機向けのウェブサイトコンテンツを提供する事業体が運営するサーバ装置Ｓは、広域なネットワークＮＷに接続されており、Ａ社の携帯電話機Ｔ１からアクセスを受けると、ネットワークＮＷからＡ社通信網を経由して、携帯電話機Ｔ１へウェブサイトのサイトデータを配信する。以下、同様にサーバ装置ＳはＢ社の携帯電話機Ｔ２からアクセスを受けると、ネットワークＷＷからＢ社通信網を経由して携帯電話機Ｔ２へサイトデータを配信し、Ｃ社の携帯電話機Ｔ３からアクセスを受けると、ネットワークＷＷからＣ社通信網を経由して携帯電話機Ｔ３へサイトデータを配信する仕組みになっている。
【０００５】
このようにサイトデータの配信では各キャリアの通信網を経由することから、サーバ装置Ｓは一般に、ウェブサイトのネットワーク上における場所を表すアドレス情報に相当するＵＲＬ（Uniform Resource Locator）にキャリアごとに専用のものを設けており、各携帯電話機Ｔ１〜Ｔ３は、自身が対応するキャリア用のＵＲＬに基づきサーバ装置Ｓへアクセスする。また、サーバ装置Ｓによっては、各キャリア用のＵＲＬへ振り分けるためのＵＲＬ（振り分け用ＵＲＬ）を別に設けている場合もある。即ち、携帯電話機によるネットワーク接続では、アクセス要求時に携帯電話機のユニークな識別情報に相当する端末情報を送信する仕様になっており、サーバ装置Ｓは、振り分け用ＵＲＬでアクセスを受けたときは、送信される端末情報でアクセス元の携帯電話機のキャリアを判別する。
【０００６】
図１５は、上述した振り分け用ＵＲＬと、各キャリア用ＵＲＬの関係を表した概略図である。振り分け用ＵＲＬとして、例えばサーバ装置Ｓは「http://poke.jp/pokemelo/」を設定すると共に、振り分け先の各キャリア用ＵＲＬとして「http://a-poke.jp/pokemelo/（Ａ社用のＵＲＬ）」、「http://b-poke.jp/pokemelo/（Ｂ社用のＵＲＬ）」、および「http://c-poke.jp/pokemelo/（Ｃ社用のＵＲＬ）」を設定する。なお、振り分け用ＵＲＬ（http://poke.jp/pokemelo/）は、対応するサイトページが存在せず、単に振り分け処理のために設けられており、一方、各キャリア用のＵＲＬには、それぞれ対応するサイトページが存在する。サーバ装置Ｓは、このように設定した振り分け用ＵＲＬでアクセスを受けると、ユニークな端末情報に基づいてアクセスした携帯電話機のキャリアを判別し、判別したキャリア用ＵＲＬへアクセスを振り分けて、各キャリア用のサイトページデータをアクセス元の携帯電話機へ配信する。
【０００７】
なお、携帯電話機で閲覧可能なウェブサイトの中には、いわゆる勝手サイトと称されるものが存在する。勝手サイトとは、キャリアが提供する公式なサービスには登録されていないが、所定の仕様条件（例えば、ページがコンパクトＨＴＭＬで記述されて、１ページあたりの容量が一定以下等になっている条件）を満たしたサイトの総称であり、このような勝手サイトは、携帯電話機のキャリアに関係なく閲覧可能なものが存在する。そのため、勝手サイトでは、上述した振り分け用ＵＲＬ及び各キャリア用ＵＲＬとは異なり、キャリアに依存しない固有のＵＲＬを有することになる。
【０００８】
一方、ウェブサイトの閲覧機能を有する携帯電話機は、「お気に入り」と称せられることが多い表形式のブックマークにウェブサイトのＵＲＬを簡易な操作で登録できる機能を具備し、さらには電話番号等を登録するアドレス帳（いわゆる電話帳）にもＵＲＬを登録できる機能を有する機種も存在する。なお、ブックマークに登録できるＵＲＬは、ウェブサイトを表示した状態で登録操作を行う関係上、携帯電話機が対応するキャリア用のＵＲＬに限定され、振り分け用ＵＲＬ又は他のキャリア用ＵＲＬを登録するときは、ブックマークの編集機能を用いて、ユーザのマニュアル操作で行う必要がある。また、アドレス帳へのＵＲＬ登録は、ブックマークに対するＵＲＬ登録に比べて操作手順が複雑になっていることが多い。
【０００９】
なお、ＵＲＬの登録を、上述したように携帯電話機が有するブックマーク又はアドレス帳に登録するのではなく、サーバ装置に設けられたユーザ領域に記憶させる技術が特許文献１で開示されている。
【特許文献１】特開２００３−７６６２８号公報
【発明の開示】
【発明が解決しようとする課題】
【００１０】
２００６年後半から、キャリアを変更しても今までと同じ電話番号を継続して利用できる「ナンバーポータビリティ（Mobile Number Portability : MNP）」と云う制度が導入されるため、今後、携帯電話機のキャリアを変更するユーザが増加することが予想される。このように、携帯電話機のユーザがキャリアを変更した場合、今まで登録していたＵＲＬとはキャリアが異なるため、登録していたＵＲＬに応じたウェブサイトへのアクセスが困難になると云う問題がある。
【００１１】
即ち、キャリア変更を行う場合、以前に使用していたキャリア用の携帯電話機のアドレス帳に含まれる情報は少なくとも、新たなキャリア用の携帯電話機へ移行できることが想定されるが、アドレス帳に登録されるＵＲＬは基本的に、以前に使用していたキャリア用ＵＲＬであるため、以前のキャリア用ＵＲＬはキャリア移行後の新たな携帯電話機で使用できず、今まで登録していたＵＲＬのウェブサイトへ容易にアクセスできなくなる。また、移行する携帯電話機の機種によっては、ブックマークに含まれる情報も、新たなキャリア用の携帯電話機へ移行できる場合も想定されるが、ブックマークに登録されるＵＲＬも基本的に、以前に使用していたキャリア用ＵＲＬであるため、アドレス帳の場合と同様に、キャリア移行後は今まで登録していたＵＲＬのウェブサイトへ容易にアクセスできない。
【００１２】
なお、移行後のキャリアの携帯電話機で、移行前に登録していたウェブサイトの移行後のキャリア用のＵＲＬ又は振り分け用ＵＲＬを検索することも勿論可能であるが、ウェブサイトの検索の仕方（操作手順および操作インターフェース等）はキャリアごとに相異するので、ユーザが検索操作にとまどうことが予想される。そのため、検索が上手く行かなかったユーザの中には、今まで登録していたウェブサイトの利用をあきらめるものも現れることが想定でき、この場合、キャリア移行時にユーザの利便性を確保できないと云う問題がある。
【００１３】
なお、上述した各問題に対して、特許文献１に係る内容を利用することも想定されるが、キャリア移行後にサーバ装置に設けられたユーザ領域に初めてアクセスする場合は、やはり、ユーザ領域に対応した移行後のキャリア用のＵＲＬが必要になる。そのため、移行後のキャリア用のＵＲＬを特定してＵＲＬの手入力を行う作業がユーザに要求されると云う問題があり、また、特許文献１では、サーバ装置にユーザ領域を確保する必要がるため、サーバ装置が有する記憶領域に対するユーザ領域の確保負担が大きい問題もある。
【００１４】
さらに、ＵＲＬをアドレス帳に登録できる機種では、ブックマークへのＵＲＬ登録と同等の容易な操作レベルで、ＵＲＬをアドレス帳へ登録できないと云う実情がある。そのため、キャリアに依存せずに閲覧が可能な勝手サイトが盛況であること等に対応して、閲覧中のサイトページのＵＲＬ（勝手サイトのＵＲＬを含む）をアドレス帳へ簡単に登録したいと云うユーザのニーズに十分に対応できていない問題が生じている。
【００１５】
本発明は、斯かる事情に鑑みてなされたものであり、振り分け用ＵＲＬ又はキャリア移行後のＵＲＬを、キャリア移行前の携帯電話機のアドレス帳又はブックマークに容易に登録できるようにして、キャリア移行後も移行前に登録していたウェブサイトへスムーズにアクセスできるようにしたアドレス情報登録方法、アドレス情報登録システム及び携帯電話機を提供することを目的とする。
また、本発明は、各種ＵＲＬを容易にアドレス帳へ登録できるようにしたアドレス情報登録方法、アドレス情報登録システム及び携帯電話機を提供することを目的とする。
【課題を解決するための手段】
【００１６】
上記課題を解決するために本発明に係るアドレス情報登録方法は、表示部及び登録テーブルを有して、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録方法において、前記サーバ装置は、前記携帯電話機からのアクセスに応じて、選択可能な登録選択部を配置すると共に、各通信事業体への振り分け用のアドレス情報を前記登録選択部に関連付けて埋め込んだサイトページに応じたページデータを前記携帯電話機に送信し、前記携帯電話機は、前記ページデータを受信して前記表示部に前記サイトページを表示した状態で、前記登録選択部の選択を受け付けた場合、前記登録選択部に関連付けたアドレス情報を前記登録テーブルに登録することを特徴とする。
【００１７】
また、本発明に係るアドレス情報登録方法は、表示部及び登録テーブルを有して、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録方法において、前記サーバ装置は、前記携帯電話機からのアクセスに応じて、選択可能な登録選択部を配置すると共に、前記携帯電話機が対応する通信事業体と相異する通信事業体用のアドレス情報を前記登録選択部に関連付けて埋め込んだサイトページに応じたページデータを前記携帯電話機に送信し、前記携帯電話機は、前記ページデータを受信して前記表示部に前記サイトページを表示した状態で、前記登録選択部の選択を受け付けた場合、前記登録選択部に関連付けた前記アドレス情報を登録テーブルに登録することを特徴とする。
【００１８】
さらに、本発明に係るアドレス情報登録方法は、前記携帯電話機は、登録テーブルとしてアドレス情報の登録が可能なアドレス帳テーブルを有し、前記登録選択部の選択を受け付けた場合、登録先として前記アドレス帳テーブルの選択を受け付ける選択メニューを表示し、前記選択メニューで前記アドレス帳テーブルの選択を受け付けた場合、前記アドレス情報を前記アドレス帳テーブルに登録することを特徴とする。
【００１９】
さらにまた、本発明に係るアドレス情報登録方法は、前記携帯電話機は、登録テーブルとしてアドレス情報の登録が可能なブックマークテーブルを有し、前記登録選択部の選択を受け付けた場合、登録先として前記ブックマークテーブルの選択を受け付ける選択メニューを表示し、前記選択メニューで前記ブックマークテーブルの選択を受け付けた場合、前記アドレス情報を前記ブックマークテーブルに登録することを特徴とする。
【００２０】
また、本発明に係るアドレス情報登録方法は、表示部及びアドレス帳テーブルを有する携帯電話機が、サーバ装置が設けるウェブサイトに係るネットワーク上の場所を表すアドレス情報を前記アドレス帳テーブルに登録するアドレス情報登録方法において、前記サーバ装置は、前記携帯電話機からのアクセスに応じて、選択可能な登録選択部を配置すると共に、アドレス情報を前記登録選択部に関連付けて埋め込んだサイトページに応じたページデータを前記携帯電話機に送信し、前記携帯電話機は、前記ページデータを受信して前記表示部に前記サイトページを表示した状態で、前記登録選択部の選択を受け付けた場合、前記登録選択部に関連付けたアドレス情報を前記アドレス帳テーブルに登録することを特徴とする。
【００２１】
さらに、本発明に係るアドレス情報登録方法は、前記サーバ装置は、前記ウェブサイトの名称を表すサイト名情報を、前記登録選択部に関連付けて埋め込んだ前記サイトページに応じたページデータを送信し、前記携帯電話機は、前記アドレス情報と共に前記サイト名情報を登録することを特徴とする。
【００２２】
本発明に係るアドレス情報登録方法は、表示部及び登録テーブルを有して、携帯電話機向けの通信サービスを提供する複数の通信事業体の中の一つに対応する携帯電話機が、ネットワーク上に設けられたウェブサイトに係る場所を表すアドレス情報を前記登録テーブルに登録するアドレス情報登録方法において、前記携帯電話機は、各通信事業体への振り分け用のアドレス情報を前記表示部に選択可能に表示し、表示したアドレス情報が選択された場合、前記アドレス情報の前記登録テーブルへの登録又は前記アドレス情報に基づくアクセスのいずれの選択を受け付ける選択メニューを表示し、前記選択メニューで前記登録テーブルへの登録の選択を受け付けた場合、前記アドレス情報を前記登録テーブルに登録し、前記選択メニューで前記アクセス情報に基づくアクセスの選択を受け付けた場合、前記アクセス情報に基づいてアクセスを行うことを特徴とする。
【００２３】
また、本発明に係るアドレス情報登録方法は、表示部及び登録テーブルを有して、携帯電話機向けの通信サービスを提供する複数の通信事業体の中の一つに対応する携帯電話機が、ネットワーク上に設けられたウェブサイトに係る場所を表すアドレス情報を前記登録テーブルに登録するアドレス情報登録方法において、前記携帯電話機は、対応する通信事業体と相異する通信事業体用のアドレス情報を前記表示部に選択可能に表示し、表示したアドレス情報が選択された場合、選択されたアドレス情報の登録先として前記登録テーブルの選択を受け付ける選択メニューを表示し、前記選択メニューで前記登録テーブルの選択を受け付けた場合、前記アドレス情報を前記登録テーブルに登録することを特徴とする。
【００２４】
さらに、本発明に係るアドレス情報登録方法は、前記携帯電話機が、前記登録テーブルとしてアドレス情報の登録が可能なアドレス帳テーブルを有し、登録先として前記アドレス帳テーブルの選択を受け付ける前記選択メニューを表示し、前記選択メニューで前記アドレス帳テーブルの選択を受け付けた場合、前記アドレス情報を前記アドレス帳テーブルに登録することを特徴とする。
【００２５】
また、本発明に係るアドレス情報登録方法は、前記携帯電話機は、前記登録テーブルとしてアドレス情報の登録が可能なブックマークテーブルを有し、登録先として前記ブックマークテーブルの選択を受け付ける前記選択メニューを表示し、前記選択メニューで前記ブックマークテーブルの選択を受け付けた場合、前記アドレス情報を前記ブックマークテーブルに登録することを特徴とする。
【００２６】
さらにまた、本発明に係るアドレス情報登録方法は、表示部及びアドレス帳テーブルを有する携帯電話機が、ネットワーク上に設けられたウェブサイトに係る場所を表すアドレス情報を前記アドレス帳テーブルに登録するアドレス情報登録方法において、前記携帯電話機は、アドレス情報を前記表示部に選択可能に表示し、表示したアドレス情報が選択された場合、前記アドレス情報の前記アドレス帳テーブルへの登録又は前記アドレス情報に基づくアクセスの選択を受け付ける選択メニューを表示し、前記選択メニューで前記アドレス帳テーブルへの登録の選択を受け付けた場合、前記アドレス情報を前記アドレス帳テーブルに登録し、前記選択メニューで前記アクセス情報に基づくアクセスの選択を受け付けた場合、前記アクセス情報に基づいてアクセスを行うことを特徴とする。
【００２７】
本発明に係るアドレス情報登録システムは、表示部及び登録テーブルを備え、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録システムにおいて、前記サーバ装置は、選択可能な登録選択部を配置すると共に、各通信事業体への振り分け用のアドレス情報を前記登録選択部に関連付けて埋め込んだサイトページに応じたページデータを記憶する手段と、前記携帯電話機からのアクセスに応じて、前記ページデータを前記携帯電話機に送信する手段とを備え、前記携帯電話機は、前記ページデータを受信して前記表示部に前記サイトページを表示した状態で、前記登録選択部の選択を受け付けた場合、前記登録選択部に関連付けたアドレス情報を前記登録テーブルに登録する手段を備えることを特徴とする。
【００２８】
また、本発明に係るアドレス情報登録システムは、表示部及び登録テーブルを備え、携帯電話機向けの通信サービスを提供する複数の通信事業体の中の一つに対応する携帯電話機が、サーバ装置が設けるウェブサイトに係るネットワーク上の場所を表すアドレス情報を前記登録テーブルに登録するアドレス情報登録システムにおいて、前記サーバ装置は、選択可能な登録選択部を配置すると共に、前記携帯電話機が対応する通信事業体と相異する通信事業体用のアドレス情報を前記登録選択部に関連付けて埋め込んだサイトページに応じたページデータを記憶する手段と、前記携帯電話機からのアクセスに応じて、前記ページデータを前記携帯電話機に送信する手段とを備え、前記携帯電話機は、前記ページデータを受信して前記表示部に前記サイトページを表示した状態で、前記登録選択部の選択を受け付けた場合、前記登録選択部に関連付けたアドレス情報を前記登録テーブルに登録する手段を備えることを特徴とする。
【００２９】
さらに、本発明に係るアドレス情報登録システムは、表示部及びアドレス帳テーブルを有する携帯電話機が、サーバ装置が設けるウェブサイトに係るネットワーク上の場所を表すアドレス情報を前記アドレス帳テーブルに登録するアドレス情報登録システムにおいて、前記サーバ装置は、選択可能な登録選択部を配置すると共に、アドレス情報を前記登録選択部に関連付けて埋め込んだサイトページに応じたページデータを記憶する手段と、前記携帯電話機からのアクセスに応じて、前記ページデータを前記携帯電話機に送信する手段とを備え、前記携帯電話機は、前記ページデータを受信して前記表示部に前記サイトページを表示した状態で、前記登録選択部の選択を受け付けた場合、前記登録選択部に関連付けたアドレス情報を前記アドレス帳テーブルに登録する手段を備えることを特徴とする。
【００３０】
本発明に係る携帯電話機は、表示部及び登録テーブルを備え、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、各通信事業体への振り分け用のアドレス情報を、選択可能に配置した登録選択部に関連付けて埋め込んだサイトページを前記表示部に表示した状態で、前記登録選択部の選択を受け付けた場合、前記登録選択部に関連付けたアドレス情報を前記登録テーブルに登録する手段を備えることを特徴とする。
【００３１】
また、本発明に係る携帯電話機は、表示部及び登録テーブルを備え、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、対応する通信事業体と相異する通信事業体用のアドレス情報を、選択可能に配置した登録選択部に関連付けて埋め込んだサイトページを前記表示部に表示した状態で、前記登録選択部の選択を受け付けた場合、前記登録選択部に関連付けた前記アドレス情報を登録テーブルに登録する手段を備えることを特徴とする。
【００３２】
さらに、本発明に係る携帯電話機は、表示部及びアドレス帳テーブルを備え、ネットワーク上に設けられたウェブサイトに係る場所を表すアドレス情報を前記アドレス帳テーブルに登録することが可能な携帯電話機において、アドレス情報を、選択可能に配置した登録選択部に関連付けて埋め込んだサイトページを前記表示部に表示した状態で、前記登録選択部の選択を受け付けた場合、前記登録選択部に関連付けた前記アドレス情報を前記アドレス帳テーブルに登録する手段を備えることを特徴とする。
【００３３】
本発明に係る携帯電話機は、表示部及び登録テーブルを有し、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、各通信事業体への振り分け用のアドレス情報を前記表示部に選択可能に表示する処理を行う手段と、表示したアドレス情報が選択された場合、前記アドレス情報の前記登録テーブルへの登録又は前記アドレス情報に基づくアクセスのいずれの選択を受け付ける選択メニューを前記表示部に表示する処理を行う手段と、前記選択メニューで前記登録テーブルへの登録の選択を受け付けた場合、前記アドレス情報を前記登録テーブルに登録する手段と、前記選択メニューで前記アクセス情報に基づくアクセスの選択を受け付けた場合、前記アクセス情報に基づいてアクセスを行う手段と備えることを特徴とする。
【００３４】
また、本発明に係る携帯電話機は、表示部及び登録テーブルを有し、携帯電話機向けの通信サービスを提供する複数の通信事業体の中の一つに対応して、ネットワーク上に設けられたウェブサイトに係る場所を表すアドレス情報を前記登録テーブルに登録することが可能な携帯電話機において、対応する通信事業体と相異する通信事業体用のアドレス情報を前記表示部に選択可能に表示する処理を行う手段と、表示したアドレス情報が選択された場合、選択されたアドレス情報の登録先として前記登録テーブルの選択を受け付ける選択メニューを前記表示部に表示する処理を行う手段と、前記選択メニューで前記登録テーブルの選択を受け付けた場合、前記アドレス情報を前記登録テーブルに登録する手段と、を備えることを特徴とする。
【００３５】
さらに、本発明に係る携帯電話機は、表示部及びアドレス帳テーブルを備え、ネットワーク上に設けられたウェブサイトに係る場所を表すアドレス情報を前記アドレス帳テーブルに登録することが可能な携帯電話機において、アドレス情報を前記表示部に選択可能に表示する処理を行う手段と、表示したアドレス情報が選択された場合、前記アドレス情報の前記アドレス帳テーブルへの登録又は前記アドレス情報に基づくアクセスの選択を受け付ける選択メニューを前記表示部に表示する処理を行う手段と、前記選択メニューで前記アドレス帳テーブルへの登録の選択を受け付けた場合、前記アドレス情報を前記アドレス帳テーブルに登録する手段と、前記選択メニューで前記アクセス情報に基づくアクセスの選択を受け付けた場合、前記アクセス情報に基づいてアクセスを行う手段と備えることを特徴とする。
【００３６】
本発明にあっては、サーバ装置が設けるウェブサイトのサイトページに、各通信事業体（各キャリア）への振り分け用アドレス情報を、選択可能に配置した登録選択部に関連付けて埋め込んでおくと共に、そのサイトページを表示する携帯電話機で登録選択部の選択を受け付けると、埋め込んだアドレス情報が携帯電話機の登録テーブルに登録される。そのため、キャリアの移行時に、移行前の携帯電話機が有する登録テーブルに登録された情報を、移行後の新たな携帯電話機の登録テーブルに移せば、新たな携帯電話機の登録テーブルには自然と振り分け用アドレス情報が含まれることになる。その結果、キャリア移行後の携帯電話機でも、登録テーブルに含まれる振り分け用アドレス情報に基づいて、今まで利用していたウェブサイトへスムーズにアクセスでき、ユーザの利便性を維持することが可能になる。なお、登録テーブルとしては、携帯電話機が有するアドレス情報の登録が可能なアドレス帳テーブル又はブックマークテーブルが該当する（以下、同様）。
【００３７】
本発明にあっては、サーバ装置が設けるウェブサイトのサイトページに、携帯電話機が対応する通信事業体（キャリア）と相異する通信事業体用のアドレス情報を、選択可能に配置した登録選択部に関連付けて埋め込んでおくと共に、そのサイトページを表示する携帯電話機で登録選択部の選択を受け付けると、埋め込んだアドレス情報が携帯電話機の登録テーブルに登録される。そのため、キャリアの移行先に応じたアドレス情報をウェブサイトに埋め込んでおけば、キャリア移行前の時点において、移行前の携帯電話機の登録テーブルに移行先のキャリアに応じたアドレス情報を登録できるため、キャリア移行時に登録テーブルに登録された情報を移すだけで、キャリア移行後の新たな携帯電話機の登録テーブルに、移行したキャリア向けのアドレス情報が含まれる。その結果、キャリア移行後の携帯電話機でも、登録テーブルに含まれるアドレス情報に基づいて、今まで利用していたウェブサイトへスムーズにアクセスでき、ユーザの利便性を維持できる。
【００３８】
本発明にあっては、登録選択部の選択を受け付けた場合、登録先としてアドレス帳テーブルを選択する選択メニューを表示するので、ユーザの携帯電話機の使い方、キャリア移行前のユーザが使用する携帯電話機の仕様、キャリア移行後の携帯電話機の仕様等に合わせて、アドレス情報の登録先が選択可能になり、ユーザのニーズに合わせたアドレス情報の移行を実現できる。例えば、ネットワーク接続でもアドレス帳を主に利用するユーザは、アドレス帳テーブルにアドレス情報を登録すれば、ユーザの使い方に応じてアドレス情報の移行を行うことができる。
【００３９】
また、本発明にあっては、登録選択部の選択を受け付けた場合、登録先としてブックマークテーブルを選択する選択メニューを表示するので、ユーザの携帯電話機の使い方、キャリア移行前のユーザが使用する携帯電話機の仕様、キャリア移行後の携帯電話機の仕様等に合わせて、アドレス情報の登録先が選択可能になり、ユーザのニーズに合わせたアドレス情報の移行を実現できる。例えば、ブックマークテーブルに含まれる情報の移行が可能な機種でキャリア移行を行うユーザの場合は、ブックマークテーブルにアドレス情報を登録しておけば、移行後も登録していたアドレス情報を用いて利用頻度の高いウェブサイトへ容易にアクセスすることが可能になる。
【００４０】
本発明にあっては、アドレス情報を、選択可能に配置した登録選択部に関連付けて埋め込んでおくと共に、そのサイトページを表示する携帯電話機で登録選択部の選択を受け付けると、埋め込んだアドレス情報が携帯電話機のアドレス帳テーブルに登録される。そのため、従来のアドレス帳へＵＲＬが登録可能な携帯電話機では、編集機能等を用いてＵＲＬをアドレス帳へ登録していた操作が、登録選択部の選択と云う簡単な選択操作のみで完了可能となり、勝手サイトのＵＲＬ等を容易にアドレス帳テーブルへ登録可能になる。
【００４１】
本発明にあっては、サイト名情報が、登録選択部に関連付けてウェブサイトに埋め込んであり、携帯電話機で登録選択部の選択を受け付けた場合、アドレス情報に加えてサイト名情報も登録されるので、登録されたウェブサイトをサイト名情報に基づいて特定しやすくなり、ユーザの利便性を向上できる。即ち、アドレス情報は、アルファベット及び数字が羅列されたものであるため、アドレス情報だけではウェブサイトの中身を特定することは一般に困難であるが、サイト名情報をアドレス情報と一緒に登録することで、登録されているアドレス情報に対応するウェブサイトの中身をサイト名情報で容易に判別できる。
【００４２】
本発明にあっては、携帯電話機で選択可能に表示された振り分け用のアドレス情報が選択された場合、登録テーブルへの登録又はアドレス情報を用いたアクセスを選択できる選択メニューを表示するので、アドレス情報の登録先をユーザのニーズに応じて自由に選べると共に、ウェブサイトへアクセスすることまで選べて、登録を行わない場合の処理にも柔軟に対応できる。なお、携帯電話機で振り分け用のアドレス情報を選択可能に表示する状況としては、様々な場合が考えられ、例えば、ユーザが手入力で振り分け用のアドレス情報を選択可能に表示すること、他のユーザから受信したメール内容に記載された振り分け用のアドレス情報を選択可能に表示すること、アクセスしたウェブサイトに記載された振り分け用のアドレス情報を選択可能に表示することなどが挙げられる。
また、本発明にあっては、携帯電話機が対応するキャリアと相異するキャリア用のアドレス情報が選択された場合、アドレス帳テーブルへの登録を選択できる選択メニューを表示するので、アドレス情報の登録先をユーザのニーズに応じて自由に選ぶことができる。
【００４３】
さらに、本発明にあっては、登録先としてアドレス帳テーブルの選択を受け付ける選択メニューを表示するので、ユーザの携帯電話機の使い方、キャリア移行前後の携帯電話機の仕様等に合わせて、アドレス情報の登録先を適宜選択可能となり、ユーザの使い勝手に合わせたアドレス情報の移行を実現できる。
さらにまた、本発明にあっては、登録先としてブックマークテーブルの選択を受け付ける選択メニューを表示するので、ユーザの携帯電話機の使い方、キャリア移行前後の携帯電話機の仕様等に合わせて、アドレス情報の登録先が選択可能になる。
【００４４】
本発明にあっては、携帯電話機で選択可能に表示されたアドレス情報が選択された場合、アドレス帳テーブルへの登録又はアドレス情報を用いたアクセスを選択できる選択メニューを表示するので、アドレス帳テーブルへの容易な登録又はウェブサイトへのアクセスをユーザが自由に選べる。
【発明の効果】
【００４５】
本発明にあっては、各キャリアへの振り分け用アドレス情報を登録選択部に関連付けて埋め込んだサイトページを携帯電話機で表示した状態で、登録選択部の選択を受け付けると、埋め込んだアドレス情報が携帯電話機の登録テーブルに登録されるので、キャリア移行後の携帯電話機で利用できるアドレス情報をキャリア移行の際、スムーズに移すことができる。
また、本発明にあっては、使用中の携帯電話機が対応するキャリアと相異するキャリア用のアドレス情報を登録選択部に関連付けて埋め込んだサイトページを携帯電話機で表示した状態で、登録選択部の選択を受け付けると、埋め込んだアドレス情報が携帯電話機の登録テーブルに登録されるので、キャリア移行後の携帯電話機で利用できるアドレス情報をキャリア移行の際、スムーズに移すことができる。
【００４６】
さらに、本発明にあっては、登録選択部の選択を受け付けた場合、アドレス帳テーブルへの登録を選択する選択メニューを表示するので、ユーザの使い勝手に合わせて登録先を選択でき、ウェブサイトへのアクセスにアドレス帳テーブルを用いるユーザに対して好適な処理を提供できる。
さらにまた、本発明にあっては、登録選択部の選択を受け付けた場合、ブックマークテーブルへの登録を選択する選択メニューを表示するので、ブックマークテーブルへスムーズにアドレス情報を登録でき、ブックマークテーブルを主に利用するユーザに対して好適な処理を提供できる。
【００４７】
本発明にあっては、アドレス情報を、選択可能に配置した登録選択部に関連付けて埋め込んでおくと共に、そのサイトページを表示する携帯電話機で登録選択部の選択を受け付けると、埋め込んだアドレス情報を携帯電話機のアドレス帳テーブルに登録するので、簡単な選択操作のみでアドレス情報を携帯電話機のアドレス帳テーブルに登録できる。
【００４８】
また、本発明にあっては、サイト名情報を登録選択部に関連付けてサイトページに埋め込むので、アドレス情報を登録する際にサイト名情報も登録でき、登録したアドレス情報に対応するウェブサイトの内容をサイト名情報で容易に把握できる。
【００４９】
また、本発明にあっては、携帯電話機で選択可能に表示された振り分け用のアドレス情報が選択された場合、登録テーブルへの登録又はアドレス情報を用いたアクセスを選択できる選択メニューを表示するので、アドレス情報の登録先と、ウェブサイトへのアクセスとをユーザのニーズに合わせて選択可能な状況を提供できる。
さらに、本発明にあっては、携帯電話機が対応するキャリアと相異するキャリア用のアドレス情報が選択された場合、登録テーブルへの登録を選択できる選択メニューを表示するので、アドレス情報の登録先をユーザのニーズに応じて自由に選択できる。
【００５０】
本発明にあっては、登録先としてアドレス帳テーブルの選択を受け付ける選択メニューを表示するので、アドレス帳テーブルへ容易にアドレス情報を登録できる。
また、本発明にあっては、登録先としてブックマークテーブルの選択を受け付ける選択メニューを表示するので、アドレス情報を確実にブックマークテーブルへ登録できる。
さらに本発明にあっては、携帯電話機で選択可能に表示されたアドレス情報が選択された場合、アドレス帳テーブルへの登録又はアドレス情報を用いたアクセスを選択できる選択メニューを表示するので、アドレス帳テーブルへの容易な登録又はウェブサイトへのアクセスを、ユーザの希望に応じて容易に選択できる状況を提供できる。
【発明を実施するための最良の形態】
【００５１】
図１は、本発明の第１実施形態に係るアドレス情報登録システム１の全体的な構成を示している。アドレス情報登録システム１は、サーバ装置１０が設ける携帯電話機向けのウェブサイトに応じた振り分け用ＵＲＬを、携帯電話機３のアドレス帳又はブックマークへ登録可能にするものである。第１実施形態は、図１４で示した場合と同様にキャリアとしてＡ社、Ｂ社およびＣ社が存在する例であり、図１では、Ａ社関門交換機２及び中継機２Ａ〜２Ｎを含むＡ社通信網のみを示し、Ｂ社及びＣ社の通信網の図示は省略している。また、図１中の携帯電話機３はＡ社用の機種であり、Ａ社通信網を経由して広域のネットワークＮＷに接続されたサーバ装置１０へアクセス可能になっている。
【００５２】
図２は、サーバ装置１０の主要な内部構成を示している。サーバ装置１０には汎用のサーバコンピュータが適用されており、ウェブサイトのコンテンツ提供サービスの運営を行う事業体がサーバ装置１０の管理を行っている。サーバ装置１０は、様々な制御処理を行うＭＰＵ１１を、内部バス１０ａを介して通信インタフェース１２、ＲＡＭ１３、ＲＯＭ１４、及びハードディスク装置１５と接続した構成になっている。
【００５３】
通信インタフェース１２は、ネットワークＮＷを経由して各キャリア用の携帯電話機からのアクセスを受け付けて各種データの送受信を行う手段に相当し、例えば、携帯電話機からのアクセス要求と共に端末情報を受信して、ウェブサイトに係るサイトページのデータを送信する処理等を行う。また、ＲＡＭ１３は、ＭＰＵ１１の処理に伴って生じるデータ及びフォルダ等を一時的に記憶し、ＲＯＭ１４は、ＭＰＵ１１が行う基本的な処理内容を規定したプログラムを予め記憶している。ハードディスク装置１５は、サーバ装置１０を作動させる上で、必要な各種処理内容を規定したシステムプログラム２０を記憶すると共に、ネットワーク上に設けたウェブサイトの中身に係るウェブサイトコンテンツデータ２１等を記憶する手段に相当する。なお、ウェブサイトコンテンツデータ２１は、ウェブサイトを構成する複数のサイトページのページ内容（ページコンテンツ）を表すページデータ２１ａ〜２１ｎの集合体になっている。
【００５４】
図３（ａ）は、サーバ装置１０が設けるウェブサイトを構成するトップページ３０（サイトページ）を携帯電話機３の表示部４で表示した状態を示している。第１実施形態のサーバ装置１０は、楽曲データの配信が可能なウェブサイトを設けており、トップページ３０は、そのウェブサイトを閲覧する際、最初にアクセス元の携帯電話機へ送信されるページデータ２１ａに応じたものであり、携帯電話機で表示された状態で選択可能な複数の第１ボタン３０ａ〜第３ボタン３０ｃをページ上に配置した構成になっている。
【００５５】
第１ボタン３０ａは、新曲を紹介するサイトページにリンクしたボタンであり、第２ボタン３０ｂは、曲検索を行うサイトページにリンクしたボタンである。また、第３ボタン３０ｃは登録選択部に該当し、図３（ｂ）に示すサイト名及びＵＲＬとの関連付け（リンク）が行われている。サーバ装置１０が設けるウェブサイトの各サイトページ（トップページ３０も含む）は、携帯電話機向けウェブサイト用のマークアップ言語（例えばＨＴＭＬ：Hyper markup Language）での記述により作成されたものになっている。
【００５６】
例えば、トップページ３０では、上述した各ボタン３０ａ〜３０ｃは、ボタンを表す画像の位置を規定するマークアップ言語の記述によりトップページ３０のページ画面上に配置されている。また、第３ボタン３０ｃと、図３（ｂ）のサイト名及びＵＲＬとのリンクもマークアップ言語の記述により規定されている。なお、図３（ｂ）のサイト名の中身として記述されている「楽曲ダウンロードサイト」と云う記述は、ウェブサイトの名称を表すサイト名情報に相当し、ＵＲＬとして記述されている「http://poke.jp/pokemelo/」は、図１５に示すＡ社〜Ｃ社への振り分け用ＵＲＬ（振り分け用アドレス情報）に相当している。これらのサイト名情報及び振り分け用ＵＲＬは、所定の識別タグで囲まれて区別可能に記述されてウェブサイトのトップページ３０に埋め込まれた状態になっている。さらに、第３ボタン３０ｃに対しては、第３ボタン３０ｃが選択された場合は、携帯電話機の選択メニューが立ち上がるように、携帯電話機側の処理を開始させるトリガー用のコマンドもマークアップ言語の記述により埋め込まれている。
【００５７】
このようなトップページ３０のＵＲＬは、図１５の各キャリア用のＵＲＬ（http://a-poke.jp/pokemelo/、http://b-poke.jp/pokemelo/、http://c-poke.jp/pokemelo/）と、振り分け用ＵＲＬ（http://poke.jp/pokemelo/）とがそれぞれ対応付けられている。従って、ハードディスク装置１５に記憶されるシステムプログラム２０は、サーバ装置１０が各キャリア用のＵＲＬでアクセスを受けると、アクセス元の携帯電話機へ各キャリアの通信網を通じてトップページ３０に応じたページデータ２１ａを送信する制御をＭＰＵ１１が行うことを規定している。また、振り分け用ＵＲＬでサーバ装置１０がアクセス（アクセス要求）を受けた場合、システムプログラム２０は、アクセス要求と共にサーバ装置１０が受信する端末情報の内容に基づいてＭＰＵ１１がアクセス元の携帯電話機に対応するキャリアを判別し、判別したキャリア用のＵＲＬへアクセスを振り分ける処理を行うことも規定している。なお、アクセスをキャリア用のＵＲＬへ振り分けた後は、各キャリア用のＵＲＬでアクセスを受けた場合と同様の処理を行うことになる。
【００５８】
一方、図４は、ユーザが使用する携帯電話機３の内部構成を示すブロック図である。携帯電話機３は、各種制御処理を行うＣＰＵ３ａに、通信部３ｂ、ＲＡＭ３ｃ、ＲＯＭ３ｄ、表示用インタフェース３ｅ、操作部インタフェース３ｆ、音出力処理部３ｇ、音入力処理部３ｉ及び記憶部３ｋを内部バス１６で接続した構成になっている。
【００５９】
通信部３ｂは、図１に示す多数の中継基地局２Ａ、２Ｂ・・・と無線通信を行い、広域のネットワークＮＷに接続される様々な機器との間でデータ等の送受信を行う。本実施形態では、携帯電話機３が通信部３ｂを用いて図１のサーバ装置１０にアクセスし、サーバ装置１０が設けるウェブサイトへのアクセス要求およびＲＯＭ３ｄに記憶される端末情報６の送信、並びにサーバ装置１０から送られるウェブサイトのページデータ２１ａ〜２１ｎ等の受信を行う。ＲＡＭ３ｃはＣＰＵ３ａの処理に従うデータ及びフォルダ等を一時的に記憶する。また、ＲＯＭ３ｄはＣＰＵ３ａが行う基本的な処理内容を規定したプログラム等を予め記憶すると共に、ウェブサイトへのアクセス要求の際に送信される端末情報６（携帯電話機３を識別する情報）を予め記憶している。
【００６０】
また、表示用インタフェース３ｅは、携帯電話機３の筐体外面に配置される表示部４と接続され、サーバ装置１０から送信される各種ページデータに対する表示処理を行い、表示部４に図３（ａ）等に示すページデータ２１ａに応じたトップページ３０を表示すると共に、図５（ａ）（ｂ）、図６（ａ）等に示すような記憶部３ｋに記憶するテーブルに応じたブックマーク４０およびアドレス帳４１等の表示も行う。操作部インタフェース３ｆは、携帯電話機３の筐体表面に設けられた上下左右キー、決定キーおよび数字キー等の多数の操作キーからなる操作部５と接続されており、操作部５でユーザから受け付けた操作内容をＣＰＵ３ａへ伝える。なお、操作部５では、表示部４で表示した画面中の選択部分（例えば、図３（ａ）に示すトップページ３０の第３ボタン３０ｃ）を選択する操作も受付可能になっている。
【００６１】
音出力処理部３ｇは、スピーカ３ｈが接続されており、通話時の音声出力、楽曲データの音声出力に係る処理を行ってスピーカ３ｈから音声を出力するものである。また、音入力処理部３ｉはマイク３ｊと接続されており、通話時のユーザが話す音声の入力を行う。
【００６２】
さらに記憶部３ｋは、端末プログラム７、ブックマークテーブル８およびアドレス帳テーブル９等を記憶している。記憶部３ｋに記憶される端末プログラム７は、携帯電話機３に係る各種機能が実現されるように、ＣＰＵ３ａを各種手段として作動させるための制御処理内容を規定したプログラム部分（アプリ）の集合体であり、携帯電話機３の通話および通信に係る制御処理、ブックマーク登録処理、アドレス帳登録処理、ブックマークテーブル８およびアドレス帳テーブル９に登録された内容の表示及び更新処理、並びに各種メニューに対する表示処理および選択受付処理等を規定している。なお、端末プログラム７には、図７に示す選択メニュー４５のような各種メニューに応じたメニュー画面データ７ａも含まれており、この選択メニュー４５等が関係するＵＲＬ登録処理の詳細に関しては後述する。
【００６３】
また、ブックマークテーブル８は、ブックマーク登録処理の登録先となるテーブルであり、ウェブサイトのサイト名及びＵＲＬをヒモ付けた状態で登録できるテーブル構造になっている。なお、ブックマークテーブル８に登録されることは、記憶部３ｋに記憶されることと同意である（アドレス帳テーブル９も同様）。
【００６４】
図５（ａ）は、ブックマークテーブル８の登録内容に応じたブックマーク４０を表示部４で表示した状態を示している。ブックマーク４０は、ブックマークテーブル８に登録されたサイト名を抽出して羅列し、選択対象となるサイト名を囲うように上下できる選択枠４０ａを配置したものであり、端末プログラム７に含まれるブックマーク用のプログラムの規定内容に基づきＣＰＵ３ａにより作成されている。なお、ブックマーク４０を表示した状態で、選択枠４０ａを上下させる操作を操作部５に含まれる上下キーで受け付けることで、操作欄４０ａで囲まれたサイト名が選択対象となり、その状態で操作部５に含まれる決定キーの押し下げ操作が行われることで、携帯電話機３（ＣＰＵ３ａ）は、選択対象のサイト名の選択を受け付けたことになる。選択を受け付けると、ＣＰＵ３ａは選択対象のサイト名にヒモ付けされたＵＲＬを用いて、ネットワーク接続を行ってウェブサイトへのアクセス処理を行う。
【００６５】
一方、記憶部３ｋに記憶されるアドレス帳テーブル９は、アドレス帳登録処理の登録先となるテーブルであり、登録対象ごとに名称、電話番号、メールアドレス、ＵＲＬおよび住所等の事項を対応付けて登録できるようになっている。なお、登録対象は全ての事項に内容を登録しなくてもよい。
【００６６】
図６（ａ）は、アドレス帳テーブル９の登録対象の中から名称のみを抽出して作成されるアドレス帳４１を表示部４で表示した状態を示しており、アドレス帳４１は、端末プログラム７に含まれるアドレス帳用のプログラムの規定内容に基づきＣＰＵ３ａにより作成されている。アドレス帳４１は、上部に「あ行」「か行」および「さ行」等を選択できる五十音選択欄４１ａを設けると共に、選択中の行（図６（ａ）では「あ行」）に含まれる名称を羅列した羅列欄４１ｂを設けた構成になっており、羅列欄４１ｂには、上述したブックマーク４０と同様に上下可能な選択枠４１ｃが配置され、いずれか一つの名称を上述した選択部５での操作により選択できるようになっている。
【００６７】
図６（ｂ）は、図６（ａ）のアドレス帳４１の中の一つの名称（赤井氏）が選択された場合にＣＰＵ３ａの処理によりアドレス帳テーブル９の登録内容に基づき作成される詳細アドレス帳４２を表示部４で表示した状態を示している。この詳細アドレス帳４２も、アドレス帳用のプログラムの規定内容に基づきＣＰＵ３ａにより作成されており、図６（ａ）のアドレス帳４１で選択された名称に対応付けた電話番号、メールアドレスおよびＵＲＬ等がアドレス帳テーブル９から抽出されて羅列されたものになっている。
【００６８】
次に、本発明に係るＵＲＬの登録処理について説明する。第１実施形態に係るＵＲＬの登録処理は、サーバ装置１０が設けるウェブサイトの図３（ａ）に示すトップページ３０と、携帯電話機３に記憶される端末プログラム７に含まれるＵＲＬ登録処理が連動することで行われる。
【００６９】
具体的には、携帯電話機３がサーバ装置１０にアクセスして図３（ａ）に示すトップページ３０を表示部４に表示した状態で、操作部５を通じて第３ボタン３０ｃの選択を受け付けると、第３ボタン３０ｃに埋め込まれたコマンドに基づきＣＰＵ３ａがメニュー画面データ７ａを記憶部３ｋから読み出し、図７に示すように、トップページ３０に重ねて選択メニュー４５を表示する処理を行う。
【００７０】
図７に示す選択メニュー４５は、アクセス中のウェブサイトのＵＲＬを登録する対象としてブックマーク（ブックマークテーブル８）を選択する第１欄４５ａと、アドレス帳（アドレス帳テーブル９）を選択する第２欄４５ｂが設けてあり、各欄４５ａ、４５ｂは操作部５に含まれる上下キーおよび決定キーにより選択可能になっている。
【００７１】
第１欄４５ａの選択を受け付けた場合、携帯電話機３のＣＰＵ３ａは、端末プログラム７に含まれるブックマーク登録処理を開始し、トップページ３０に埋め込まれているサイト名情報（楽曲ダウンロードサイト）およびサイト名情報に相当する振り分け用ＵＲＬ（http://poke.jp/pokemelo/）をヒモ付けた状態でブックマークテーブル８に登録（記憶部３ｋに記憶）する。ブックマークテーブル８への登録後、所定の操作を行って表示部４での表示内容をブックマークに切り替えると、図５（ｂ）に示すように、ブックマーク４０の中に、新たに登録されたサイト名（楽曲ダウンロードサイト）が挙がった状態になる。
【００７２】
また、図７に示す選択メニュー４５で、第２欄４５ｂの選択を受け付けた場合、携帯電話機３のＣＰＵ３ａは、端末プログラム７に含まれるアドレス帳登録処理を開始し、トップページ３０に埋め込まれているサイト名情報（楽曲ダウンロードサイト）およびサイト名情報に相当する振り分け用ＵＲＬ（http://poke.jp/pokemelo/）を対応付けて、アドレス帳テーブル９に登録（記憶部３ｋに記憶）する。
【００７３】
アドレス帳テーブル９への登録後、所定の操作を行って表示部４での表示内容をアドレス帳の「か行」を表示するように画面切替を行うと、図８（ａ）のアドレス帳４３に示すように、五十音選択欄４３ａの下方に位置する羅列欄４３ｂの中にサイト名情報（楽曲ダウンロードサイト）が配置された状態になっている。また、このサイト名情報（楽曲ダウンロードサイト）の選択操作が行われると、図８（ｂ）の詳細アドレス帳４４に示すように、サイト名情報（楽曲ダウンロードサイト）と、それに対応付けられた振り分け用ＵＲＬ（http://poke.jp/pokemelo/）とが表示される。
【００７４】
図９に示す第１フローチャートは、上述したＵＲＬの登録に係る一連の処理手順を示したものであり、本発明に係るアドレス情報登録方法の処理内容を表している。以下、第１フローチャートに従って、アドレス情報登録方法の処理内容を整理して説明する。
【００７５】
先ず、携帯電話機３は、サーバ装置１０が設けるウェブサイト（楽曲ダウンロードサイト）のＵＲＬの入力等により、サーバ装置１０へアクセスする（Ｓ１）。サーバ装置１０は、携帯電話機３からのアクセスに応じてトップページ３０に応じたページデータ２１ａをアクセス元の携帯電話機３へ送信する（Ｓ２）。なお、ＵＲＬの登録処理に関する範囲では、上述したページデータ２１ａの送信でサーバ装置１０での処理は終了する。
【００７６】
携帯電話機３は、サーバ装置１０から送られたページデータ２１ａを受信すると、図３（ａ）に示すように、ページデータ２１ａに応じたトップページ３０を表示して、いずれのボタン３０ａ〜３０ｃの選択を受け付けたかを判断する（Ｓ３）。いずれのボタンの選択も受け付けていない場合（Ｓ３：選択無し）、携帯電話機３は選択待ちの状態になる。また、第１ボタン３０ａ又は第２ボタン３０ｂの選択を受け付けた場合（Ｓ３：第１、２ボタン選択）、携帯電話機３は、各ボタン３０ａ、３０ｂに応じた処理を行う（Ｓ４）。なお、この場合は、特にＵＲＬの登録処理を最後まで行うことなく、ＵＲＬの登録処理に関する範囲での処理を携帯電話機３は終了することになる。
【００７７】
また、第３ボタン３０ｃの選択を受け付けた場合（Ｓ３：第３ボタン選択）、携帯電話機３は、図７に示すようにトップページ３０に重ねて選択メニュー４５を表示部４に表示する処理を行う（Ｓ５）。この選択メニュー４５でＵＲＬの登録先にブックマーク（第１欄４５ａ）又はアドレス帳（第２欄４５ｂ）のいずれが選択されたかを携帯電話機３は判断する（Ｓ６）。ブックマークへの登録の選択を受け付けた場合（Ｓ６：ブックマーク）、携帯電話機３は、第３ボタン３０ｃに関連付けてトップページ３０に埋め込んだサイト名及び振り分け用ＵＲＬをブックマークテーブル８に登録する（Ｓ７）。また、アドレス帳への登録の選択を受け付けた場合（Ｓ６：アドレス帳）、携帯電話機３は、第３ボタン３０ｃに関連付けてトップページ３０に埋め込んだサイト名及び振り分け用ＵＲＬをアドレス帳テーブル９に登録する（Ｓ８）。
【００７８】
このように第１実施形態では、ユーザの選択操作により、振り分け用ＵＲＬおよびサイト名の登録先をブックマークテーブル８又はアドレス帳テーブル９のいずれにも選ぶことができるため、キャリア移行後にユーザが使用する携帯電話機の使用に応じて、適切な登録先を容易な操作で選ぶことができる。
【００７９】
例えば、キャリア移行の前後で携帯電話機のメーカが異なるため、ブックマークテーブル８の互換性が無いときは、アドレス帳テーブル９については少なくとも互換性が確保されるので、振り分け用ＵＲＬ等の登録先にアドレス帳テーブル９を選択し、キャリア移行時にアドレス帳テーブル９の登録内容を新たな携帯電話機に書き込めば、キャリア移行後もスムーズにサーバ装置１０が設けるウェブサイトへアクセスすることが可能となる。また、キャリア移行の前後で携帯電話機のメーカが同一であるため、ブックマークテーブル８の互換性が有るときは、振り分け用ＵＲＬ等の登録先にブックマークテーブル８を選択し、キャリア移行時にブックマークテーブル８の登録内容を新たな携帯電話機に書き込めば、キャリア移行後も容易にサーバ装置１０が設けるウェブサイトへアクセスできる。
【００８０】
なお、第１実施形態に係る内容は、上述した形態に限定されることなく、様々な変形例の適用が可能である。例えば、上述した説明では、サイト名も振り分け用ＵＲＬと共に登録する構成にしているが、サイト名の登録が不要なときは、トップページ３０にサイト名情報の埋め込みを省略してもよい。また、図７に示す選択メニュー４５は、必ずしもブックマーク又はアドレス帳の両方から選択するような形態に限定されるものではなく、ブックマークを選択できるようにした形態、又はアドレス帳を選択できるような形態にすることも可能である。さらに、振り分け用ＵＲＬの登録先をブックマークテーブル８又はアドレス帳テーブル９のいずれかに固定することも可能であり、この場合は、図７に示す選択メニュー４５の表示処理を省略すると共に、サーバ装置１０が設けるウェブサイトのトップページを図１０（ａ）に示す構成にする。
【００８１】
図１０（ａ）に示すトップページ５０は、第３ボタン５０ｃ以外は、図３（ａ）に示すトップページ３０と同等であり、第３ボタン５０ｃはアドレス帳（アドレス帳テーブル９）への登録を選択する内容になっている。また、第３ボタン５０ｃに関連付けてあるトリガー用のコマンドは、選択メニューを立ち上がらせるものではなく、第３ボタン５０ｃが選択されると、トップページ５０に埋め込まれた振り分け用ＵＲＬ及びサイト名をアドレス帳テーブル９へ登録させる処理を携帯電話機３のＣＰＵ３ａに開始させるコマンドになっている。
【００８２】
よって、このような変形例のトップページ５０を用いることで、携帯電話機３は、記憶部３ｋに記憶する端末プログラム７にメニュー画面データ７ａを含ませることが不要となり、端末プログラム７のプログラム量を削減できると共に、ユーザから登録先の選択を受け付ける処理ステップ（図９中に示すＳ６の処理ステップ）も省略でき、ＵＲＬの登録処理の簡易化を図れる。なお、図１０（ａ）のトップページ５０は、アドレス帳テーブル９への登録用にしているが、第３ボタン５０ｃに関連付けるコマンドに対する登録先をブックマークテーブル８にすることで、固定の登録先をブックマークテーブル８にすることも可能である。
【００８３】
さらに、振り分け用ＵＲＬ等を関連付ける登録選択部は、図３（ａ）に示す第３ボタン３０ｃ及び図１０（ａ）に示す第３ボタン５０ｃのようなボタン形状に限定されず、選択可能（クリック可能）に文字又は図柄等を単に配置したものを、選択処理部にすることも勿論可能である。
【００８４】
また、登録するＵＲＬは振り分け用ＵＲＬに限定されるものではなく、図１５に示すように各キャリア用ＵＲＬにすることも可能である。この場合は、ウェブサイトのトップページに埋め込むＵＲＬも所要のキャリア用ＵＲＬにする必要がある。
【００８５】
図１０（ｂ）のトップページ５１は、登録するＵＲＬとしてキャリア用ＵＲＬを埋め込んだ場合のウェブサイトのサイトページを示している。変形例のトップページ５１は、図３（ａ）のトップページ３０と基本的には同等であるが、Ａ社からＢ社へキャリア移行するユーザのためにＢ社用ＵＲＬ（http://b-poke.jp/pokemelo/）の登録を行うための第３ボタン５１ｃ（登録選択部に相当）を設けると共に、Ａ社からＣ社へキャリア移行するユーザのためにＣ社用ＵＲＬ（http://c-poke.jp/pokemelo/）の登録を行うための第４ボタン５１ｄ（登録選択部に相当）を設けている。また、トップページ５１は、第３ボタン５１ｃにＢ社用ＵＲＬ及びサイト名をリンクさせて埋め込むと共に、第４ボタン５１ｄにＣ社用ＵＲＬ及びサイト名をリンクさせて埋め込んでいる。
【００８６】
なお、各ボタン５１ｃ、５１ｄに関連付けるコマンドは、図３（ａ）のトップページ３０と同様に図７に示す選択メニュー４５を立ち上げるコマンドにしてもよく、若しくは上述した変形例の図１０（ａ）のトップページ５０のようにブックマークテーブル８又はアドレス帳テーブル９のいずれかの固定された登録先へ登録を行う処理を開始させるコマンドにしてもよい。また、各ボタン５１ｃ、５１ｄの替わりに、選択可能（クリック可能）な文字又は図柄等を適用してもよいのは、上述した図３（ａ）の第３ボタン３０ｃ及び図１０（ａ）の第３ボタン５０ｃと同様である。このように変形例のトップページ５１を用いることで移行先のキャリア用ＵＲＬをブックマークテーブル８又はアドレス帳テーブル９へ登録して、キャリア移行後の携帯電話機でスムーズに用いることができ、移行先のキャリアが決まっているユーザに好適な処理を行える。
【００８７】
さらに、登録するＵＲＬとしては、勝手サイトのＵＲＬのようにキャリアに依存しないＵＲＬを対象にして、アドレス帳テーブルへ容易に登録できるようにすることも第１実施形態に係る発明で対応可能である。具体的には、図３（ａ）のトップページ３０の第３ボタン３０ｃに、対象とするＵＲＬを関連付けた状態にしてトップページ３０に埋め込むことになる。また、登録対象としてはアドレス帳テーブルを選択できるように、図７に示すような選択テーブル４５を用いるか、若しくは登録先をアドレス帳テーブルに固定して、選択テーブル４５を省略した形態にする。このような変形例を第１実施形態に係る発明に適用することで、勝手サイトのようなＵＲＬを含む各種ＵＲＬを容易にアドレス帳へ登録することができる。
【００８８】
図１１（ａ）（ｂ）に示す内容は、本発明の第２実施形態に係る携帯電話機の表示内容を示している。第２実施形態に係る携帯電話機は、ハード的な構成は図４に示す第１実施形態の携帯電話機３と同等であり、記憶部３ｋに記憶される端末プログラム７が第２実施形態に応じた処理を規定する。第２実施形態は、携帯電話機の表示部に表示したＵＲＬが選択されたときは、図１１（ｂ）に示す選択メニュー６３を表示して、そのＵＲＬをブックマークテーブル又はアドレス帳テーブルに登録するか、若しくはＵＲＬを用いてアクセスするかをユーザが選択できることが特徴である。なお、第２実施形態の携帯電話機は第１実施形態と同等であるので、以下、第１実施形態と同じ符合を用いてで第２実施形態の内容を説明する。
【００８９】
第２実施形態の端末プログラム７は、ＣＰＵ３ａが表示部４にＵＲＬを表示する処理を行う場合は、選択可能に表示することを規定している。表示する内容にＵＲＬが含まれているか否かは、表示対象の中に、「http://」で始まる文字列が存在すると、その文字列をＵＲＬと特定し、特定したＵＲＬを操作部５での操作により選択可能に表示することを端末プログラム７は規定している。なお、図１１（ａ）の表示画面６０のように、携帯電話機３がＵＲＬ（振り分け用ＵＲＬ）を表示する状況としては、ＵＲＬを含むメールを表示するとき、ＵＲＬを含むサイトページを表示するとき等が考えられる。
【００９０】
また、第２実施形態の端末プログラム７は、表示部４で表示したＵＲＬの選択を操作部５で受け付けた場合、ＣＰＵ３ａが図１１（ｂ）に示す選択メニュー６３を図１１（ａ）の表示画面６０に重ねて表示する処理を行うことを規定している。なお、端末プログラム７には、選択メニュー６３に応じた内容を有するメニュー画面データ７ａが含まれている。選択メニュー６３は、選択可能な項目として、ブックマーク（ブックマークテーブル８）へＵＲＬを登録する内容の第１欄６３ａ、アドレス帳（アドレス帳テーブル９）へＵＲＬを登録する内容の第２欄６３ｂ、選択したＵＲＬに基づきアクセスする内容の第３欄６３ｃを有する。
【００９１】
さらに、第２実施形態の端末プログラム７は、選択メニュー６３での選択内容に応じた処理をＣＰＵ３ａに行わせることを規定しており、具体的には、第１欄６３ａが選択された場合は、図１１（ａ）で表示した振り分け用ＵＲＬを抽出してブックマークテーブル８へ登録することを規定し、第２欄６３ｂが選択された場合は、振り分け用ＵＲＬを抽出してアドレス帳テーブル９へ登録することを規定する。なお、第３欄６３ｃが選択された場合は、振り分け用ＵＲＬを用いてＣＰＵ３ａが通信部３ｂを用いてサーバ装置１０へアクセスを行う手段として機能することを規定している。
【００９２】
図１２は、第２実施形態の携帯電話機３を行うアドレス情報登録方法に係る一連の処理手順を表した第２フローチャートを示している。以下、この第２フローチャートに従って、第２実施形態の内容を整理して説明する。
【００９３】
先ず、携帯電話機３は、受信したメールに書き込まれたＵＲＬ又はアクセスしたウェブサイトに記述されたＵＲＬ等を利用して表示部４にＵＲＬ（振り分け用ＵＲＬ）を表示する（Ｓ２０）。次に、携帯電話機３は、表示したＵＲＬの選択を受け付けて、図１１（ｂ）に示す選択メニュー６３を表示する（Ｓ２１）。それから携帯電話機３は、選択メニュー６３で第１欄６３ａ〜第３欄６３ｃのいずれか選択されたかを判断する（Ｓ２２）。
【００９４】
第１欄６３ａのブックマークへの登録が選択された場合（Ｓ２２：ブックマーク）、携帯電話機３は、振り分け用ＵＲＬをブックマークテーブル８へ登録する処理を行う（Ｓ２３）。また、第２欄６３ｂのアドレス帳への登録が選択された場合（Ｓ２２：アドレス帳）、携帯電話機３は、振り分け用ＵＲＬをアドレス帳テーブル９へ登録する処理を行う（Ｓ２４）。さらに、第３欄６３ｃのＵＲＬに基づくアクセスが選択された場合（Ｓ２２：アクセス）、携帯電話機３は、ＵＲＬを用いてサーバ装置１０へアクセスする（Ｓ２５）。
【００９５】
このように第２実施形態では、携帯電話機３に記憶させる端末プログラム７が規定する処理に基づき、所定のＵＲＬをブックマークテーブル８又はアドレス帳テーブル９へ登録できるため、キャリア移行時に各テーブル８、９に登録された情報を移行することで、所定のＵＲＬを容易に移行することができる。また、第２実施形態では、ＵＲＬの登録以外にも、ＵＲＬに基づくアクセスを選択できるため、特に登録を要しないときの処理もスムーズに行える。
【００９６】
なお、第２実施形態においても変形例が存在する。例えば、図１１（ｂ）に示す選択メニュー６３は、登録先としてブックマーク又はアドレス帳の両方から選択するような形態に限定されるものではなく、登録先はブックマークのみを挙げてブックマーク又はアクセスを選択できるようにした形態、又は登録先はアドレス帳のみを挙げてアドレス帳又はアクセスを選択できるようにした形態にすることも可能である。
【００９７】
また、表示されるＵＲＬが振り分け用ＵＲＬではなく、他のキャリア用のＵＲＬの場合は、そのＵＲＬを用いてアクセスを行えないので、図１３に示す変形例の選択メニュー６４を用いて、ブックマークテーブルへの登録またはアドレス帳テーブルへの登録の２つの項目を選択できるようにして、ＵＲＬを用いたアクセスを省略することも可能である。なお、図１３に示す選択メニュー６４でも、「ブックマークに登録」のみを挙げた形態、又は「アドレス帳に登録」のみを挙げた形態にすることも可能である。
【００９８】
さらに、第２実施形態においても、勝手サイトのＵＲＬのようにキャリアに依存しないＵＲＬを、図１１（ａ）に示すように表示してアドレス帳テーブルへ容易に登録できるようにすることも可能である。詳しくは、このようなＵＲＬを選択可能に表示した状態で、ＵＲＬの選択を受け付けた場合、携帯電話機３の表示部４に「アドレス帳に登録」と、「ＵＲＬでアクセス」と云う選択可能な欄を設けた選択メニューを表示し、「アドレス帳に登録」と云う欄が選択された場合、携帯電話機３はＵＲＬをアドレス帳テーブル９へ登録し、「ＵＲＬでアクセス」と云う欄が選択された場合、携帯電話機３はＵＲＬに基づきアクセスを行うようにする。このような変形例を第２実施形態に係る発明に適用可能にすることで、勝手サイトのようなＵＲＬを含む各種ＵＲＬを簡易な操作でアドレス帳へ登録できると共に、勝手サイト等のウェブサイトの閲覧をユーザが望むときは、アクセス処理を容易に実行できることにも対応できる。
【図面の簡単な説明】
【００９９】
【図１】本発明の第１実施形態に係るアドレス情報登録システムの全体的な構成を示す概略図である。
【図２】サーバ装置の内部構成を示すブロック図である。
【図３】（ａ）はウェブサイトのトップページを示す概略図であり、（ｂ）はトップページに埋め込まれた情報を示す図である。
【図４】携帯電話機の内部構成を示すブロック図である。
【図５】（ａ）はブックマークを示す概略図、（ｂ）は新たに登録されたサイト名を含むブックマークを示す概略図である。
【図６】（ａ）はアドレス帳を示す概略図、（ｂ）は詳細アドレス帳を示す概略図である。
【図７】第１実施形態に係る選択メニューを示す概略図である。
【図８】（ａ）は新たに登録されたサイト名を含むアドレス帳を示す概略図、（ｂ）は新たに登録されたサイト名に対応した詳細アドレス帳の概略図である。
【図９】第１実施形態に係るアドレス情報登録方法に係る第１フローチャートである。
【図１０】（ａ）は第１実施形態の変形例に係るトップページを示す概略図、（ｂ）は別の変形例に係るトップページを示す概略図である。
【図１１】（ａ）は本発明の第２実施形態に係る携帯電話機の表示画面を示す概略図、（ｂ）は第２実施形態に係る選択メニューを示す概略図である。
【図１２】第２実施形態に係るアドレス情報登録方法に係る第２フローチャートである。
【図１３】第２実施形態の変形例に係る選択メニューを示す概略図である。
【図１４】携帯電話機向けの通信サービスに係るシステム構成の概略図である。
【図１５】振り分け用ＵＲＬと各キャリア用ＵＲＬとの関係を示す説明図である。
【符号の説明】
【０１００】
１  アドレス情報登録システム
３  携帯電話機
３ａ  ＣＰＵ
７  端末プログラム
８  ブックマークテーブル
９  アドレス帳テーブル
１０  サーバ装置
１１  ＭＰＵ
１５  ハードディスク装置
２１  ウェブサイトコンテンツデータ
３０  トップページ
３０ｃ  第３ボタン
４５  選択メニュー
ＮＷ  ネットワーク
【図１】
2008071234.tif 000003
【図２】
2008071234.tif 000004
【図３】
2008071234.tif 000005
【図４】
2008071234.tif 000006
【図５】
2008071234.tif 000007
【図６】
2008071234.tif 000008
【図７】
2008071234.tif 000009
【図８】
2008071234.tif 000010
【図９】
2008071234.tif 000011
【図１０】
2008071234.tif 000012
【図１１】
2008071234.tif 000013
【図１２】
2008071234.tif 000014
【図１３】
2008071234.tif 000015
【図１４】
2008071234.tif 000016
【図１５】
2008071234.tif 000017